(57)【要約】【課題】音（周波数）振動を用いて表面形状の模様を創出できる装飾成形方法および装飾成形装置を提供する。【解決手段】音（周波数）の作りだす形状パターンを流体物または紛体物に伝達させた状態で、該流体物を固化または紛体物を固着させることにより、周波数の作りだす形状パターンが表面形状に施された装飾体を成形する。具体的には、流体物または紛体物を入れた容器あるいは炉に対して、振動体を接触させ、形状パターンを流体物または紛体物に伝達させる。或は、流体物に磁粉を混ぜたものを入れた容器あるいは炉に対して、周期的に変化する磁界を印加することにより、形状パターンを流体物に伝達させる。【選択図】図１
2015150732.tif 000002
【特許請求の範囲】
【請求項１】
周波数の作りだす形状パターンを流体物または紛体物に伝達させた状態で、該流体物を固化または前記紛体物を固着させることにより、前記形状パターンが表面形状に施された装飾体を成形することを特徴とする装飾成形方法。
【請求項２】
前記流体物または前記紛体物を入れた容器あるいは炉に対して、振動体を接触させ、前記形状パターンを前記流体物または前記紛体物に伝達させることを特徴とする請求項１の装飾成形方法。
【請求項３】
前記流体物に磁粉を混ぜたものを入れた容器あるいは炉に対して、周期的に変化する磁界を印加することにより、前記形状パターンを前記流体物に伝達させることを特徴とする請求項１の装飾成形方法。
【請求項４】
前記流体物は、蝋、ガラス、天然樹脂または合成樹脂である請求項１〜３の何れかに記載の装飾成形方法。
【請求項５】
請求項１〜４の何れかの装飾成形方法を用いて、形状模様の装飾が成形された装飾体。
【請求項６】
流体物または紛体物を収納できる収納手段と、
前記収納手段を加熱および冷却できる加熱冷却手段と、
振動周波数を制御できる振動体と、
前記振動体または前記紛体物と前記収納手段を連結して振動を伝達できる連結手段と、
を備え、
前記流体物または前記紛体物を収納した前記収納手段に対して、前記連結手段を介して前記振動体または前記紛体物の振動を伝達させ、周波数の作りだす形状パターンを前記流体物の表面または前記紛体物に伝達させて表面形状を成形し得ることを特徴とする装飾成形装置。
【請求項７】
流体物を収納できる収納手段と、
前記収納手段を加熱および冷却できる加熱冷却手段と、
前記収納手段の周囲に設けられる電磁石コイルと、
前記電磁石コイルに通電する電流量と電流の向きを制御できる磁界制御手段と、
を備え、
磁粉を混ぜた前記流体物を収納した前記収納手段に対して、前記磁界制御手段を用いて周期的に変化する磁界を印加させ、周波数の作りだす形状パターンを前記流体物の表面に伝達させて表面形状を成形し得ることを特徴とする装飾成形装置。
【発明の詳細な説明】
【技術分野】
【０００１】
本発明は、装飾成形方法および装飾成形装置に関し、特に、音（周波数）の作りだす形状パターンを用いて装飾を成形する方法および装置に関するものである。
【背景技術】
【０００２】
従来から、ガラスやプラスティックなどから成る物品の表面に装飾模様を施して、装飾体を作ることが行われてきた。例えば、薩摩切子で知られるガラス細工・カットグラス（切子）は、細かい細工（籠目紋内に魚子紋など）が表面に施され、日本的な繊細さを表現している。
このような装飾体に施されている装飾模様は、その殆どが創作者の感性によって創作されるものであり、優れた装飾模様を創作できる人に依存する傾向がある。
かかる問題に鑑みて、音振動を離散フーリエ変換して面としての広がりのある色柄として表現し、それらを用いて繊維製品などの表面などに装飾を施す方法が知られている（特許文献１）。
【０００３】
特許文献１に開示された方法は、所定の音振動の時間的経緯を色の周波数に離散フーリエ変換し、さらに離散フーリエ変換結果を面状に広げて得られた音振動の時間的経緯に対応する複数の色を被装飾品の面の少なくとも一部に施すものである。すなわち、音振動を選択するだけで面としての広がりのある色柄として表現し、繊維製品などの表面などに装飾を施す。これにより、通常の創作力であっても、音を選択することにより、優れた装飾模様を創作でき、かかる装飾模様が施された装飾体を提供できる。
【０００４】
しかし、特許文献１に開示された方法では、音振動をフーリエ変換して色柄模様を作成することにより、音振動に対応する色柄模様を創出ことができ、これらの色柄模様を被装飾品に施すことにより簡単に装飾品を得るものにとどまる。つまり、特許文献１に開示された方法は、音振動を用いて表面形状の模様を創出するものではない。
【先行技術文献】
【特許文献】
【０００５】
【特許文献１】特開平１０−２７８４９１号公報
【発明の概要】
【発明が解決しようとする課題】
【０００６】
上記状況に鑑みて、本発明は、音（周波数）振動を用いて表面形状の模様を創出できる装飾成形方法および装飾成形装置を提供することを目的とする。
【課題を解決するための手段】
【０００７】
本発明者は、装飾成形方法を鋭意検討した結果、音（周波数）の作りだす形状パターンを利用して、優れた装飾体を創作できることを見出した。
【０００８】
すなわち、本発明の装飾成形方法は、周波数の作りだす形状パターンを流体物または紛体物に伝達させた状態で、該流体物を固化または紛体物を固着させる。これにより、周波数の作りだす形状パターンが表面形状に施された装飾体を成形する。
具体的には、流体物または紛体物を入れた容器あるいは炉に対して、振動体を接触させ、形状パターンを流体物または紛体物に伝達させる。或は、流体物に磁粉を混ぜたものを入れた容器あるいは炉に対して、周期的に変化する磁界を印加することにより、形状パターンを流体物に伝達させる。
容器は、流体物を収納できる上面が開放されている皿状や箱状であればよく、上から眺めた形状は、円形、楕円形、多角形、帯状形状など様々なものが適用可能である。また、紛体物の場合、容器は平板でも構わない。
流体物の固有振動数と、外部から与える振動の周期とが合致することにより共振（共鳴）して振幅が大きくなり、振動の伝搬範囲である容器のサイズとも関連して、形状パターンが生成される。
【０００９】
ここで、流体物は、蝋、ガラス、天然樹脂または合成樹脂である。これらの流体物は、加熱することにより融解して流体物となり、冷却することにより固化し常温で固体として存在するため、本発明の装飾成形方法に用いる流体物として好適に使用できる。
また、紛体物は、ガラスの粉、樹脂の微粉などである。紛体物に一色あるいは多色の色彩を設けることにより、装飾性を高めることができる。
上記の本発明の装飾成形方法を用いることにより、通常の創作力を備える創作者であっても、優れた表面形状模様の装飾が成形された装飾体を得ることができる。
【００１０】
次に、本発明の装飾成形装置を説明する。
本発明の第１の観点の装飾成形装置は、下記Ａ１）〜Ａ４）を備え、流体物または紛体物を収納した収納手段に対して、連結手段を介して振動体の振動を伝達させ、周波数の作りだす形状パターンを流体物の表面または紛体物に伝達させて表面形状を成形できる。
Ａ１）流体物または紛体物を収納できる収納手段
Ａ２）収納手段を加熱および冷却できる加熱冷却手段
Ａ３）振動周波数を制御できる振動体
Ａ４）振動体と収納手段を連結して振動を伝達できる連結手段
【００１１】
また、本発明の第２の観点の装飾成形装置は、下記Ｂ１）〜Ｂ４）を備え、磁粉を混ぜた流体物を収納した収納手段に対して、磁界制御手段を用いて周期的に変化する磁界を印加させ、周波数の作りだす形状パターンを流体物の表面に伝達させて表面形状を成形できる。
Ｂ１）流体物を収納できる収納手段
Ｂ２）収納手段を加熱および冷却できる加熱冷却手段
Ｂ３）収納手段の周囲に設けられる電磁石コイル
Ｂ４）電磁石コイルに通電する電流量と電流の向きを制御できる磁界制御手段
【発明の効果】
【００１２】
本発明の装飾成形方法および装飾成形装置によれば、音（周波数）の作りだす形状パターンを表面形状に施した装飾体を成形でき、音（周波数）振動を用いて表面形状の模様を創出できるといった効果がある。
【図面の簡単な説明】
【００１３】
【図１】実施例１の装飾成形装置の模式図
【図２】音（周波数）の作りだす形状パターンの模式図
【図３】実施例１の装飾成形方法の処理フロー
【図４】実施例２の装飾成形装置の模式図
【図５】実施例３の装飾成形装置の模式図
【図６】実施例４の装飾成形装置の模式図
【図７】実施例４の装飾成形方法の処理フロー
【発明を実施するための最良の形態】
【００１４】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１５】
実施例１の装飾成形装置および装飾成形方法の処理フローについて、図１〜３を参照して説明する。図１は実施例１の装飾成形装置の模式図を示し、図３は装飾成形方法の処理フローを示している。
実施例１の装飾成形装置は、流体物１を収納できる容器１０（収納手段）と、容器１０を加熱および冷却できる加熱冷却手段（図示せず）と、容器１０の下側に設けられるスピーカ２（振動体）と、音源発生ユニット４から構成される。
そして、容器１０の下底表面とスピーカ２の中央部３は、連結棒５を介して連結されている。この連結状態は、連結棒５の両端が、それぞれ容器１０の下底表面、スピーカ２の中央部３と当接した状態である。音源発生ユニット４は、音量、音の周波数を自由に制御できるものであり、スピーカ２から音（周波数）が発生する。
【００１６】
すなわち、スピーカ２および音源発生ユニット４は、振動周波数を制御できる振動体に相当する。スピーカ２の表面（中央部３も含む）は、音源発生ユニット４から発生した音の周波数で振動する。その振動は、スピーカ２に当接する連結棒５の一端に伝達される。そして振動は、連結棒５の内部を伝わり、連結棒５の他端に当接する容器１０の下底に伝達される。これにより、容器１０に収納されている流体物１に、音（周波数）の作りだす形状パターンを伝達できる。
【００１７】
流体物１が蝋とした場合、加熱冷却手段で蝋を融解して流体物にする。
次に、音（周波数）の作りだす形状パターンを流体物１（蝋）に伝達させた状態で、自然冷却して流体物１（蝋）を固化する。これにより、音（周波数）の作りだす形状パターンが蝋の表面形状に施され、装飾体を成形することができる。
なお、自然冷却して流体物１（蝋）を固化する以外に、加熱冷却手段で急冷することでもかまわない。
【００１８】
図２は、音（周波数）の作りだす形状パターンの模式図の一例を示している。図２は容器１０を上方から眺めた様子を示している。図２（１）は、容器１０内の流体物の表面が同心円状の波紋を形成している様子を示しており、図２（２）は、容器１０内の流体物の表面が結晶構造のような波紋を形成している様子を示している。
【００１９】
図３を参照して、装飾成形方法の処理フローを説明する。
まず、容器１０に流体物１を入れる（ステップＳ０１）。次に、流体物１の容器１０の底面に連結棒５の一端を接触させる（ステップＳ０２）。連結棒５の他端をスピーカ２の中央部３表面に接触させる（ステップＳ０３）。スピーカ２から出る音の作り出すパターンを流体物１に伝達する（ステップＳ０４）。流体物１の表面に波紋を生じさせる（ステップＳ０５）。流体物１を自然冷却により固化させる（ステップＳ０６）。装飾体を形成する（ステップＳ０７）。
【実施例２】
【００２０】
次に、実施例２の装飾成形装置について、図４を参照して説明する。図４は、実施例２の装飾成形装置の模式図を示している。
実施例２の装飾成形装置は、流体物１を収納できる容器１０（収納手段）と、容器１０を加熱および冷却できる加熱冷却手段（図示せず）と、容器１０の表面から挿し込む振動針６（振動体）と、振動発生ユニット７から構成される。
振動発生ユニット７は、振動周波数を自由に制御できるものであり、振動針６を振動させる。
【００２１】
振動針６の振動は、容器１０に収納された流体物１に伝達される。これにより、容器１０に収納されている流体物１に、振動周波数の作りだす形状パターンを伝達できる。
流体物１がガラスとした場合、加熱冷却手段でガラスを融解して流体物にする。
次に、振動周波数の作りだす形状パターンを流体物１（ガラス）に伝達させた状態で、加熱冷却手段で急冷させて流体物１（ガラス）を固化する。これにより、振動周波数の作りだす形状パターンがガラス細工の表面形状に施され、ガラスの装飾体を成形することができる。
【実施例３】
【００２２】
次に、実施例３の装飾成形装置について、図５を参照して説明する。図５は、実施例３の装飾成形装置の模式図を示している。
実施例３の装飾成形装置では、筒３０を用いて筒の一端にガラスを溶かした流体物３２に空気３１を吹き込み、振動発生ユニット３４から発生した振動を、連結棒３５を介して筒３０に伝達し、筒３０を通して流体物３２の表面に振動周波数の作りだす形状パターンを伝達させるものである。ガラスを溶かした流体物３２が筒３０から落ちないように、筒３０はゆっくりと回転させている。
振動周波数の作りだす形状パターンを流体物３１（ガラス）に伝達させた状態で、藁（ワラ）灰の中に入れる等して徐々に冷やして流体物１（ガラス）を固化する。これにより、振動周波数の作りだす形状パターンがガラス細工の表面形状に施され、ガラスの装飾体を成形することができる。
【実施例４】
【００２３】
次に、実施例４の装飾成形装置および装飾成形方法の処理フローについて、図６，７を参照して説明する。図６は実施例４の装飾成形装置の模式図を示し、図７は装飾成形方法の処理フローを示している。
実施例４の装飾成形装置は、流体物１を収納できる容器１０（収納手段）と、容器１０を加熱および冷却できる加熱冷却手段（図示せず）と、容器１０の周囲に設けられる電磁石コイル１２と、電磁石コイル１２に通電する電流量と電流の向きを制御できる磁界制御手段（図示せず）から構成される。
【００２４】
すなわち、電磁石コイル１２および磁界制御手段は、振動周波数を制御できる振動体に相当する。電磁石コイル１２に交流電流を流すことにより、容器１０の流体物１に磁界を発生させる。容器１０の流体物１には磁粉８が混ぜられており、磁粉８は磁界の影響を受けることにより、交流電流の周波数で流体物１が振動する。これにより、容器１０に収納されている流体物１に、周波数の作りだす形状パターンを伝達できる。
流体物１が蝋とした場合、周波数の作りだす形状パターンを流体物１（蝋）に伝達させた状態で、自然冷却して流体物１（蝋）を固化する。これにより、周波数の作りだす形状パターンが蝋の表面形状に施され、装飾体を成形することができる。
【００２５】
図７を参照して、装飾成形方法の処理フローを説明する。
まず、容器１０に流体物１を入れる（ステップＳ１１）。次に、流体物１に磁粉８を入れる（ステップＳ１２）。容器１０の周囲に設置した電磁石コイル１２に電流を流し、流体物１に磁力を印加する（ステップＳ１３）。流体物１の表面に波紋を生じさせる（ステップＳ１４）。流体物１を自然冷却により固化させる（ステップＳ１５）。装飾体を形成する（ステップＳ１６）。
【実施例５】
【００２６】
実施例５では、紛体物に周波数の作りだす形状パターンを伝達させた状態で、紛体物を固着させることにより、形状パターンが表面形状に施された装飾体を成形する実施例を説明する。
陶器性の平板を水平に設置し、紛体物としてガラス粉を平板上に万遍なくふりかけ、平板の下に振動スピーカを置いて振動させる。ガラス粉によって平板上に形状パターンが形成される。
ガラス粉として、ミルファイバ、パウダーグラスを用いることができる。また、平板は陶器製でなくともガラス製、他の素材でも構わない。
振動スピーカは、平板の中心位置の下に１台設けた。なお、平板の中心対象に複数台設けても構わない。振動スピーカの台数、設置場所によって、異なる形状パターンが生成されることになる。
そして形状パターンが生成された後に、平板の上からガスバーナーで熱し、ガラス粉を平板上に固着させる。
【産業上の利用可能性】
【００２７】
本発明は、装飾体の作製に有用である。
【符号の説明】
【００２８】
１    流体物
２    スピーカ
４    音源発生ユニット
５，３５    連結棒
６    振動針
７，３４    振動発生ユニット
８    磁粉
１０  容器
１２  電磁石
１３  磁力線
２０  流体物の表面
２１，２２  表面模様
３０  筒
３１  空気
３２  ガラス
【図１】
2015150732.tif 000003
【図２】
2015150732.tif 000004
【図３】
2015150732.tif 000005
【図４】
2015150732.tif 000006
【図５】
2015150732.tif 000007
【図６】
2015150732.tif 000008
【図７】
2015150732.tif 000009